(57)【要約】【課題】セルの膨張に伴うセル積層方向の荷重を受け止めつつ、外部からの衝撃からセル積層体を保護できるバッテリモジュールを提供する。【解決手段】前後方向に複数のセル２１を積層して構成されるセル積層体２と、該セル積層体２の前面及び後面に配置される一対のエンドプレート３と、セル積層体２の右面及び左面に配置される一対のサイドフレーム４と、を備えるバッテリモジュール１であって、エンドプレート３は、セル積層体２に沿って延びる内壁３１と、該内壁３１から離間し内壁３１と対向する外壁３２と、内壁３１と外壁３２とを連結する連結壁３３と、内壁３１と外壁３２と連結壁３３とによって形成され、上下方向に延びる複数の中空部３４と、を有する。連結壁３３の厚さＷ１は、内壁３１の厚さＷ２よりも薄い。【選択図】図３
2019016503.tif 000002
【特許請求の範囲】
【請求項１】
前後方向に複数のセルを積層して構成され、前面、後面、左面、右面、上面、及び下面を有するセル積層体と、
該セル積層体の前記前面及び前記後面に配置される一対のエンドプレートと、
前記セル積層体の前記右面及び前記左面に配置される一対のサイドフレームと、を備えるバッテリモジュールであって、
前記エンドプレートは、前記セル積層体に沿って延びる内壁と、該内壁から離間し前記内壁と対向する外壁と、前記内壁と前記外壁とを連結する連結壁と、前記内壁と前記外壁と前記連結壁とによって形成され、上下方向に延びる複数の中空部と、を有し、
前記連結壁の厚さは、前記内壁の厚さよりも薄い、バッテリモジュール。
【請求項２】
請求項１に記載のバッテリモジュールであって、
前記連結壁の厚さは、前記外壁の厚さよりも薄い、バッテリモジュール。
【請求項３】
請求項１又は２に記載のバッテリモジュールであって、
前記エンドプレートは、左右方向において中央エンドプレート部を挟んで左エンドプレート部及び右エンドプレート部を有し、
前記中央エンドプレート部は、前記中空部によりトラス構造を有する、バッテリモジュール。
【請求項４】
請求項１〜３のいずれか１項に記載のバッテリモジュールであって、
前記エンドプレートは、左右方向において中央エンドプレート部を挟んで左エンドプレート部及び右エンドプレート部を有し、
前記中央エンドプレート部の前後方向の幅は、前記左エンドプレート部及び前記右エンドプレート部の前記前後方向の幅よりも大きい、バッテリモジュール。
【請求項５】
請求項３又は４に記載のバッテリモジュールであって、
前記左エンドプレート部及び前記右エンドプレート部は、中実部を有し、
前記一対のサイドフレームは、それぞれサイドフレーム本体と、前記サイドフレーム本体から前記セル積層体の前記前面及び前記後面に回り込む前回込部及び後回込部と、を有し、
前記前回込部及び前記後回込部は、それぞれ前記エンドプレートに固定される前固定部及び後固定部を有し、
前記前固定部及び前記後固定部は、前記エンドプレートの前記左エンドプレート部及び前記右エンドプレート部に設けられた前記中実部に固定される、バッテリモジュール。
【請求項６】
請求項５に記載のバッテリモジュールであって、
前記エンドプレートと前記前固定部及び前記後固定部とを締結する締結部材の端面は、前記中央エンドプレート部の最外面よりも前後方向において前記セル積層体側に位置する、バッテリモジュール。
【請求項７】
請求項１〜６のいずれか１項に記載のバッテリモジュールであって、
前記内壁には、前記バッテリモジュールを支持する構造体に固定される構造体固定部を有する、バッテリモジュール。
【請求項８】
請求項７に記載のバッテリモジュールであって、
前記エンドプレートは、左右方向において中央エンドプレート部を挟んで左エンドプレート部及び右エンドプレート部を有し、
前記中央エンドプレート部の前後方向の幅は、前記左エンドプレート部及び前記右エンドプレート部の前記前後方向の幅よりも大きく、
前記一対のサイドフレームは、それぞれサイドフレーム本体と、前記サイドフレーム本体から前記セル積層体の前記前面及び前記後面に回り込む前回込部及び後回込部と、を有し、
前記前回込部及び前記後回込部は、それぞれ前記エンドプレートに固定される前固定部及び後固定部を有し、
前記前固定部及び前記後固定部は、前記エンドプレートの前記左エンドプレート部及び前記右エンドプレート部に固定され、
前記構造体固定部は、前後方向において前記前固定部及び前記後固定部よりも前記セル積層体側に位置する、バッテリモジュール。
【請求項９】
請求項１〜８のいずれか１項に記載のバッテリモジュールであって、
前記セル積層体は、外部接続用端子を備え、
前記内壁には、前記外部接続用端子を固定する端子固定部を有する、バッテリモジュール。
【請求項１０】
請求項９に記載のバッテリモジュールであって、
前記エンドプレートは、左右方向において中央エンドプレート部を挟んで左エンドプレート部及び右エンドプレート部を有し、
前記中央エンドプレート部の前後方向の幅は、前記左エンドプレート部及び前記右エンドプレート部の前記前後方向の幅よりも大きく、
前記一対のサイドフレームは、それぞれサイドフレーム本体と、前記サイドフレーム本体から前記セル積層体の前記前面及び前記後面に回り込む前回込部及び後回込部と、を有し、
前記前回込部及び前記後回込部は、それぞれ前記エンドプレートに固定される前固定部及び後固定部を有し、
前記前固定部及び前記後固定部は、前記エンドプレートの前記左エンドプレート部及び前記右エンドプレート部に固定され、
前記端子固定部は、前後方向において前記前固定部及び前記後固定部よりも前記セル積層体側に位置する、バッテリモジュール。
【発明の詳細な説明】
【技術分野】
【０００１】
本発明は、電動車両などに搭載されるバッテリモジュールに関する。
【背景技術】
【０００２】
従来より電動車両などにはバッテリモジュールが搭載されている。例えば、特許文献１、２には、前後方向に複数のセルを積層して構成され、前面、後面、左面、右面、上面、及び下面を有するセル積層体と、セル積層体の前面及び後面に配置される一対のエンドプレートと、セル積層体の左面及び右面に配置され、一対のエンドプレートを連結するサイドフレームと、を備えるバッテリモジュールが開示されている。
【０００３】
この種のバッテリモジュールでは、温度変化や経年劣化によるセルの膨張に起因してバッテリモジュールのセル積層方向の荷重（以下、適宜セル厚拘束反力という。）が発生する。近年、セルの高容量化や高エネルギー密度化に伴い、セル内により多くの活物質を詰め込む方向にあるため、上記のセル厚拘束反力が増加傾向となっている。
【先行技術文献】
【特許文献】
【０００４】
【特許文献１】特許第３４２６４４５号公報
【発明の概要】
【発明が解決しようとする課題】
【０００５】
特許文献１に示されるエンドプレートは、複数の中空部を有する肉抜き構造となっているため、軽量化が可能となるが、セル厚拘束反力の増加に対応できるように剛性を確保すると、外部から衝撃を受けた場合に、その衝撃がエンドプレートを介してセル積層体に入力され、セル積層体が破損する虞がある。
【０００６】
本発明は、前述した課題に鑑みてなされたものであり、その目的は、セルの膨張に伴うセル積層方向の荷重を受け止めつつ、外部からの衝撃からセル積層体を保護できるバッテリモジュールを提供することにある。
【課題を解決するための手段】
【０００７】
上記目的を達成するために、請求項１に記載の発明は、
前後方向に複数のセル（例えば、後述の実施形態のセル２１）を積層して構成され、前面、後面、左面、右面、上面、及び下面を有するセル積層体（例えば、後述の実施形態のセル積層体２）と、
該セル積層体の前記前面及び前記後面に配置される一対のエンドプレート（例えば、後述の実施形態のエンドプレート３）と、
前記セル積層体の前記右面及び前記左面に配置される一対のサイドフレーム（例えば、後述の実施形態のサイドフレーム４）と、を備えるバッテリモジュール（例えば、後述の実施形態のバッテリモジュール１）であって、
前記エンドプレートは、前記セル積層体に沿って延びる内壁（例えば、後述の実施形態の内壁３１）と、該内壁から離間し前記内壁と対向する外壁（例えば、後述の実施形態の外壁３２）と、前記内壁と前記外壁とを連結する連結壁（例えば、後述の実施形態の連結壁３３）と、前記内壁と前記外壁と前記連結壁とによって形成され、上下方向に延びる複数の中空部（例えば、後述の実施形態の中空部３４）と、を有し、
前記連結壁の厚さ（例えば、後述の実施形態の厚さＷ１）は、前記内壁の厚さ（例えば、後述の実施形態の厚さＷ２）よりも薄い。
【０００８】
請求項２に記載の発明は、
請求項１に記載のバッテリモジュールであって、
前記連結壁の厚さは、前記外壁の厚さ（例えば、後述の実施形態の厚さＷ３）よりも薄い。
【０００９】
請求項３に記載の発明は、
請求項１又は２に記載のバッテリモジュールであって、
前記エンドプレートは、左右方向において中央エンドプレート部（例えば、後述の実施形態の中央エンドプレート部３５）を挟んで左エンドプレート部（例えば、後述の実施形態の左エンドプレート部３６Ｌ）及び右エンドプレート部（例えば、後述の実施形態の右エンドプレート部３６Ｒ）を有し、
前記中央エンドプレート部は、前記中空部によりトラス構造を有する。
【００１０】
請求項４に記載の発明は、
請求項１〜３のいずれか１項に記載のバッテリモジュールであって、
前記エンドプレートは、左右方向において中央エンドプレート部（例えば、後述の実施形態の中央エンドプレート部３５）を挟んで左エンドプレート部（例えば、後述の実施形態の左エンドプレート部３６Ｌ）及び右エンドプレート部（例えば、後述の実施形態の右エンドプレート部３６Ｒ）を有し、
前記中央エンドプレート部の前後方向の幅（例えば、後述の実施形態の幅Ｗ４）は、前記左エンドプレート部及び前記右エンドプレート部の前記前後方向の幅（例えば、後述の実施形態の幅Ｗ５）よりも大きい。
【００１１】
請求項５に記載の発明は、
請求項３又は４に記載のバッテリモジュールであって、
前記左エンドプレート部及び前記右エンドプレート部は、中実部（例えば、後述の実施形態の中実部３６ａ）を有し、
前記一対のサイドフレームは、それぞれサイドフレーム本体（例えば、後述の実施形態のサイドフレーム本体４１）と、前記サイドフレーム本体から前記セル積層体の前記前面及び前記後面に回り込む前回込部（例えば、後述の実施形態の前回込部４２Ｆ）及び後回込部（例えば、後述の実施形態の後回込部４２Ｒ）と、を有し、
前記前回込部及び前記後回込部は、それぞれ前記エンドプレートに固定される前固定部（例えば、後述の実施形態の前固定部４３Ｆ）及び後固定部（例えば、後述の実施形態の後固定部４３Ｒ）を有し、
前記前固定部及び前記後固定部は、前記エンドプレートの前記左エンドプレート部及び前記右エンドプレート部に設けられた前記中実部に固定される。
【００１２】
請求項６に記載の発明は、
請求項５に記載のバッテリモジュールであって、
前記エンドプレートと前記前固定部及び前記後固定部とを締結する締結部材（例えば、後述の実施形態のボルトＢ）の端面は、前記中央エンドプレート部の最外面よりも前後方向において前記セル積層体側に位置する。
【００１３】
請求項７に記載の発明は、
請求項１〜６のいずれか１項に記載のバッテリモジュールであって、
前記内壁には、前記バッテリモジュールを支持する構造体に固定される構造体固定部（例えば、後述の実施形態の構造体固定部３７）を有する。
【００１４】
請求項８に記載の発明は、
請求項７に記載のバッテリモジュールであって、
前記エンドプレートは、左右方向において中央エンドプレート部（例えば、後述の実施形態の中央エンドプレート部３５）を挟んで左エンドプレート部（例えば、後述の実施形態の左エンドプレート部３６Ｌ）及び右エンドプレート部（例えば、後述の実施形態の右エンドプレート部３６Ｒ）を有し、
前記中央エンドプレート部の前後方向の幅（例えば、後述の実施形態の幅Ｗ４）は、前記左エンドプレート部及び前記右エンドプレート部の前記前後方向の幅（例えば、後述の実施形態の幅Ｗ５）よりも大きく、
前記一対のサイドフレームは、それぞれサイドフレーム本体（例えば、後述の実施形態のサイドフレーム本体４１）と、前記サイドフレーム本体から前記セル積層体の前記前面及び前記後面に回り込む前回込部（例えば、後述の実施形態の前回込部４２Ｆ）及び後回込部（例えば、後述の実施形態の後回込部４２Ｒ）と、を有し、
前記前回込部及び前記後回込部は、それぞれ前記エンドプレートに固定される前固定部（例えば、後述の実施形態の前固定部４３Ｆ）及び後固定部（例えば、後述の実施形態の後固定部４３Ｒ）を有し、
前記前固定部及び前記後固定部は、前記エンドプレートの前記左エンドプレート部及び前記右エンドプレート部に固定され、
前記構造体固定部は、前後方向において前記前固定部及び前記後固定部よりも前記セル積層体側に位置する。
【００１５】
請求項９に記載の発明は、
請求項１〜８のいずれか１項に記載のバッテリモジュールであって、
前記セル積層体は、外部接続用端子（例えば、後述の実施形態の外部接続用端子２３）を備え、
前記内壁には、前記外部接続用端子を固定する端子固定部（例えば、後述の実施形態の端子固定部３８）を有する。
【００１６】
請求項１０に記載の発明は、
請求項９に記載のバッテリモジュールであって、
前記エンドプレートは、左右方向において中央エンドプレート部（例えば、後述の実施形態の中央エンドプレート部３５）を挟んで左エンドプレート部（例えば、後述の実施形態の左エンドプレート部３６Ｌ）及び右エンドプレート部（例えば、後述の実施形態の右エンドプレート部３６Ｒ）を有し、
前記中央エンドプレート部の前後方向の幅（例えば、後述の実施形態の幅Ｗ４）は、前記左エンドプレート部及び前記右エンドプレート部の前記前後方向の幅（例えば、後述の実施形態の幅Ｗ５）よりも大きく、
前記一対のサイドフレームは、それぞれサイドフレーム本体（例えば、後述の実施形態のサイドフレーム本体４１）と、前記サイドフレーム本体から前記セル積層体の前記前面及び前記後面に回り込む前回込部（例えば、後述の実施形態の前回込部４２Ｆ）及び後回込部（例えば、後述の実施形態の後回込部４２Ｒ）と、を有し、
前記前回込部及び前記後回込部は、それぞれ前記エンドプレートに固定される前固定部（例えば、後述の実施形態の前固定部４３Ｆ）及び後固定部（例えば、後述の実施形態の後固定部４３Ｒ）を有し、
前記前固定部及び前記後固定部は、前記エンドプレートの前記左エンドプレート部及び前記右エンドプレート部に固定され、
前記端子固定部は、前後方向において前記前固定部及び前記後固定部よりも前記セル積層体側に位置する。
【発明の効果】
【００１７】
請求項１の発明によれば、エンドプレートは、セル積層体に沿って延びる内壁と、内壁から離間し内壁と対向する外壁と、内壁と外壁とを連結する連結壁と、内壁と外壁と連結壁とによって形成され、上下方向に延びる中空部と、を有し、連結壁の厚さは内壁の厚さよりも薄いので、連結壁の変形により外部からの衝撃からセル積層体を保護することができる。また、内壁を厚くすることでセル積層体の変形を防止できる。
【００１８】
請求項２の発明によれば、連結壁の厚さは内壁及び外壁の厚さよりも薄いので、外部からの衝撃を外壁で受けて、内壁でセル積層体を守りながら、連結壁の変形により外部からの衝撃を吸収できる。
【００１９】
請求項３の発明によれば、中央エンドプレート部は、中空部によりトラス構造を有するので、軽量で変形に強い構成にできる。
【００２０】
請求項４の発明によれば、中央エンドプレート部の前後方向の幅が左エンドプレート部及び右エンドプレート部の前後方向の幅よりも大きいので、一定幅のエンドプレートと比較して、より軽量に曲げ強度、曲げ剛性を高めることができる。
【００２１】
請求項５の発明によれば、サイドフレームの前固定部及び後固定部は、エンドプレートの左エンドプレート部及び右エンドプレート部に設けられた中実部に固定されるので、サイドフレームをエンドプレートの高剛性部分で強固に固定できる。
【００２２】
請求項６の発明によれば、エンドプレートと前固定部及び後固定部とを締結する締結部材の端面は、中央エンドプレート部の最外面よりも前後方向においてセル積層体側に位置するので、締結部材の張り出し回避できるだけでなく、外部からの衝撃をエンドプレートの外壁で受けることができる。
【００２３】
請求項７の発明によれば、外部から衝撃を受けた場合でも連結壁の変形により内壁の移動が抑制されるので、内壁に構造体固定部を設けることで、構造体固定部の移動も抑制できる。
【００２４】
請求項８の発明によれば、構造体固定部は、前後方向においてサイドフレームの前固定部及び後固定部よりもセル積層体側に位置するので、外部からの衝撃が構造体固定部に伝わる前に、サイドフレームの前固定部及び後固定部が固定されるエンドプレートの左エンドプレート部及び右エンドプレート部で衝撃を受けることができる。
【００２５】
請求項９の発明によれば、外部から衝撃を受けた場合でも連結壁の変形により内壁の移動が抑制されるので、内壁に端子固定部を設けることで、端子固定部の移動も抑制できる。
【００２６】
請求項１０の発明によれば、端子固定部は、前後方向においてサイドフレームの前固定部及び後固定部よりもセル積層体側に位置するので、外部からの衝撃が端子固定部に伝わる前に、サイドフレームの前固定部及び後固定部が固定されるエンドプレートの左エンドプレート部及び右エンドプレート部で衝撃を受けることができる。
【図面の簡単な説明】
【００２７】
【図１】本発明の第１実施形態に係るバッテリモジュールを斜め上方から見た斜視図である。
【図２】本発明の第１実施形態に係るバッテリモジュールの平面図である。
【図３】図２の部分拡大図である。
【図４】本発明の第２実施形態に係るバッテリモジュールのエンドプレートを示す平面図である。
【図５】本発明の第３実施形態に係るバッテリモジュールの要部平面図である。
【発明を実施するための形態】
【００２８】
以下、本発明のバッテリモジュールの各実施形態を、添付図面に基づいて説明する。なお、図面は符号の向きに見るものとする。
【００２９】
［第１実施形態］
図１〜図３に示すように、本発明の第１実施形態に係るバッテリモジュール１は、前後方向に複数のセル２１を積層して構成され、前面、後面、左面、右面、上面、及び下面を有するセル積層体２と、セル積層体２の前面及び後面に配置される一対のエンドプレート３と、セル積層体２の左面及び右面に配置され、一対のエンドプレート３を連結する一対のサイドフレーム４と、を備える。
【００３０】
なお、本明細書等では説明を簡単且つ明確にするためにセル２１の積層方向を前後方向と定義し、セル２１の積層方向に直交する方向を左右方向及び上下方向と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００３１】
（セル積層体）
セル積層体２は、複数のセル２１と複数の絶縁部材２２を前後方向に交互に積層して構成される。セル積層体２の前面及び後面には、絶縁部材２２を介した絶縁状態で一対のエンドプレート３が配置され、セル積層体２の左面及び右面には、それぞれ僅かな隙間を介した絶縁状態で一対のサイドフレーム４が配置される。
【００３２】
セル２１は、温度変化や経年劣化によって膨張することが知られている。セル２１は、前後方向の長さよりも上下方向の長さが長く、上下方向の長さよりも左右方向の長さが長い直方体形状を有する。そのため、セル２１は前面及び後面の面積が、左面、右面、上面及び下面の面積よりもはるかに大きく、セル２１の前面及び後面で、その左右方向中央部及び上下方向中央部が膨張しやすい。
【００３３】
セル積層体２の上面には、セル２１の端子２１ａに電気的に接続される複数のバスバー（図示せず）が配置される。バスバーには、セル２１の端子２１ａ同士を接続するためのものや、セル２１の端子２１ａを外部接続用端子２３に接続するためのものが含まれる。セル２１の端子２１ａと外部接続用端子２３との位置が相対的に変化すると、接続不良が生じる虞がある。従って、外部接続用端子２３は、セル２１の端子２１ａとの位置が相対的に変化しない位置に固定する必要がある。本実施形態では、外部接続用端子２３をエンドプレート３に固定するとともに、後述するエンドプレート構造に基づいて外部接続用端子２３の移動を抑制している。
【００３４】
（サイドフレーム）
一対のサイドフレーム４は、セル積層体２の左面又は右面に沿うサイドフレーム本体４１と、サイドフレーム本体４１の前端及び後端から前側のエンドプレート３の前面及び後側のエンドプレート３の後面に回り込む前回込部４２Ｆ及び後回込部４２Ｒと、を備える。また、前回込部４２Ｆ及び後回込部４２Ｒは、それぞれエンドプレート３に固定される前固定部４３Ｆ及び後固定部４３Ｒを備える。
【００３５】
前固定部４３Ｆ及び後固定部４３Ｒは、ボルトＢが挿通される丸孔を有し、該丸孔に挿通したボルトＢをエンドプレート３にねじ込むことで、前回込部４２Ｆ及び後回込部４２Ｒがエンドプレート３に固定される。なお、本実施形態のサイドフレーム４は、金属板材をプレス加工して形成されるが、アルミ押出材を用いて形成してもよい。
【００３６】
（エンドプレート）
一対のエンドプレート３は、それぞれ絶縁部材２２を介してセル積層体２の前面及び後面に当接し、セル積層体２のセル積層方向の荷重（以下、適宜セル厚拘束反力ともいう。）を受け止める。セル積層体２のセル積層方向の荷重は、主に温度変化や経年劣化によるセル２１の膨張に起因するものであり、上述したように、セル２１の前面及び後面では、その左右方向中央部及び上下方向中央部が膨張しやすいため、エンドプレート３の左右方向中央部及び上下方向中央部に大きな荷重が入力される。
【００３７】
エンドプレート３は、例えばアルミ押出材を用いて形成されており、セル積層体２の前面及び後面に沿って延びる内壁３１と、該内壁３１から離間し内壁３１と対向する外壁３２と、内壁３１と外壁３２とを連結する連結壁３３と、内壁３１と外壁３２と連結壁３３とによって形成され、上下方向に延びる複数の中空部３４と、を有する。
【００３８】
連結壁３３の厚さＷ１は、内壁３１の厚さＷ２及び外壁３２の厚さＷ３よりも薄く設定されている。これにより、連結壁３３より厚い内壁３１でセル積層体２を保護しつつ、連結壁３３より厚い外壁３２で外部からの衝撃を受け、この衝撃を連結壁３３の変形により吸収することができる。
【００３９】
エンドプレート３は、左右方向において中央エンドプレート部３５を挟んで左エンドプレート部３６Ｌ及び右エンドプレート部３６Ｒを備える。中央エンドプレート部３５は、複数の中空部３４を有しており、これらの中空部３４を三角形とすることで、中央エンドプレート部３５をトラス構造としている。トラス構造とは、三角形を単位として組まれた構造であり、構造物にかかる力を圧縮力と引張力という軸力のみに単純化して負担でき、概して軽量で変形に強い構造である。従って、中央エンドプレート部３５は、トラス構造によって軽量で変形に強いものとなる。
【００４０】
中央エンドプレート部３５は、その前後方向の幅Ｗ４が左エンドプレート部３６Ｌ及び右エンドプレート部３６Ｒの前後方向の幅Ｗ５よりも大きくなっている。具体的に説明すると、エンドプレート３は、セル積層体２と当接する内方の面が平坦であるのに対し、セル積層体２と当接しない外方の面は、中央エンドプレート部３５が外方に膨出した形状となっている。これにより、一定幅のエンドプレートと比較して、より軽量に曲げ強度、曲げ剛性を高めることができ、特に、セル積層体２からセル積層方向の大きな荷重を受ける中央エンドプレート部３５の曲げ強度、曲げ剛性が高められる。
【００４１】
一方、左エンドプレート部３６Ｌ及び右エンドプレート部３６Ｒは、中実部３６ａを有しており、サイドフレーム４の前固定部４３Ｆ及び後固定部４３Ｒは、左エンドプレート部３６Ｌ及び右エンドプレート部３６Ｒの中実部３６ａに固定される、これにより、サイドフレーム４をエンドプレート３の高剛性部分で強固に固定できる。
【００４２】
エンドプレート３とサイドフレーム４の前固定部４３Ｆ及び後固定部４３Ｒとを締結するボルトＢの端面は、中央エンドプレート部３５の最外面よりも前後方向においてセル積層体２側に位置している。これにより、ボルトＢの前後方向への張り出しを回避できるだけでなく、外部からの衝撃をエンドプレート３の外壁３２で受けることができる。
【００４３】
さらに、エンドプレート３には、バッテリモジュール１を支持する構造体にボルト等の固定具を介して固定される構造体固定部３７と、ネジ２４を介して外部接続用端子２３が固定される端子固定部３８、３９と、が設けられる。本実施形態の構造体固定部３７は、エンドプレート３の左右両端部（左エンドプレート部３６Ｌ及び右エンドプレート部３６Ｒ）を上下方向に貫通する丸孔で構成され、本実施形態の一方の端子固定部３８は、エンドプレート３の左右中央部（中央エンドプレート部３５の内壁３１）を上下方向に貫通する丸孔で構成され、本実施形態の他方の端子固定部３９は、エンドプレート３の左右一端部（左エンドプレート部３６Ｌ）に加工される有底の丸穴で構成されている。
【００４４】
端子固定部３８は、中央エンドプレート部３５の内壁３１から中空部３４内に突出形成されている。このような端子固定部３８によれば、外部から衝撃を受けた場合でも連結壁３３の変形により内壁３１の移動が抑制されるので、内壁３１に設けられる端子固定部３８の移動も抑制できる。なお、端子固定部３８は、構造体固定部としても利用することができる。また、端子固定部３８とは別に構造体固定部を内壁３１に設けてもよい。
【００４５】
端子固定部３８、３９は、前後方向においてサイドフレーム４の前固定部４３Ｆ及び後固定部４３Ｒよりもセル積層体２側に位置している。これにより、外部からの衝撃が端子固定部３８、３９に伝わる前に、サイドフレームの前固定部４３Ｆ及び後固定部４３Ｒが固定されるエンドプレート３の左エンドプレート部３６Ｌ及び右エンドプレート部３６Ｒで衝撃を受けることができる。
【００４６】
以上説明したように、本実施形態のバッテリモジュール１によれば、エンドプレート３は、セル積層体２に沿って延びる内壁３１と、内壁３１から離間し内壁３１と対向する外壁３２と、内壁３１と外壁３２とを連結する連結壁３３と、内壁３１と外壁３２と連結壁３３とによって形成され、上下方向に延びる中空部３４と、を有し、連結壁３３の厚さＷ１は内壁３１の厚さＷ２よりも薄いので、連結壁３３の変形により外部からの衝撃からセル積層体２を保護することができる。また、内壁３１を厚くすることでセル積層体２の変形を防止できる。
【００４７】
また、連結壁３３の厚さＷ１は、内壁３１及び外壁３２の厚さＷ２、Ｗ３よりも薄いので、外部からの衝撃を外壁３２で受けて、内壁３１でセル積層体２を守りながら、連結壁３３の変形により外部からの衝撃を吸収できる。
【００４８】
また、中央エンドプレート部３５は、中空部３４によりトラス構造を有するので、軽量で変形に強い構成にできる。
【００４９】
また、中央エンドプレート部３５の前後方向の幅Ｗ４が左エンドプレート部３６Ｌ及び右エンドプレート部３６Ｒの前後方向の幅Ｗ５よりも大きいので、一定幅のエンドプレートと比較して、より軽量に曲げ強度、曲げ剛性を高めることができる。
【００５０】
また、サイドフレーム４の前固定部４３Ｆ及び後固定部４３Ｒは、エンドプレート３の左エンドプレート部３６Ｌ及び右エンドプレート部３６Ｒに設けられた中実部３６ａに固定されるので、サイドフレーム４をエンドプレート３の高剛性部分で強固に固定できる。
【００５１】
また、エンドプレート３と前固定部４３Ｆ及び後固定部４３Ｒとを締結するボルトＢの端面は、中央エンドプレート部３５の最外面よりも前後方向においてセル積層体２側に位置するので、ボルトＢの張り出し回避できるだけでなく、外部からの衝撃をエンドプレート３の外壁３２で受けることができる。
【００５２】
また、外部から衝撃を受けた場合でも連結壁３３の変形により内壁３１の移動が抑制されるので、内壁３１に端子固定部３８を設けることで、端子固定部３８の移動も抑制できる。
【００５３】
また、端子固定部３８、３９は、前後方向においてサイドフレーム４の前固定部４３Ｆ及び後固定部４３Ｒよりもセル積層体２側に位置するので、外部からの衝撃が端子固定部３８、３９に伝わる前に、サイドフレーム４の前固定部４３Ｆ及び後固定部４３Ｒが固定されるエンドプレート３の左エンドプレート部３６Ｌ及び右エンドプレート部３６Ｒで衝撃を受けることができる。
【００５４】
なお、内壁３１に端子固定部３８の代わりに、又は内壁３１に端子固定部３８とともに構造体固定部３７を設けてもよいことは上記した通りである。この場合、外部から衝撃を受けた場合でも連結壁３３の変形により内壁３１の移動が抑制されるので、構造体固定部３７の移動も抑制できる。さらに、外部からの衝撃が構造体固定部３７に伝わる前に、サイドフレーム４の前固定部４３Ｆ及び後固定部４３Ｒが固定されるエンドプレート３の左エンドプレート部３６Ｌ及び右エンドプレート部３６Ｒで衝撃を受けることができる。
【００５５】
［第２実施形態］
つぎに、本発明の第２実施形態に係るバッテリモジュールについて、図４を参照して説明する。ただし、第１実施形態との相違点のみを説明し、第１実施形態と共通の構成については、第１実施形態と同じ符号を用いることにより、第１実施形態の説明を援用する。
【００５６】
図４に示すように、第２実施形態に係るバッテリモジュール１Ｂは、エンドプレート３Ｂに設けられる端子固定部３８Ｂが、内壁３１と２つの連結壁３３とを連結する部分を利用して設けられる点が第１実施形態と相違している。
【００５７】
［第３実施形態］
図５に示すように、第３実施形態に係るバッテリモジュール１Ｃは、エンドプレート３Ｃが、左右方向全域に亘って同じ前後幅を有する点と、外壁３２と端子固定部３８とが連結壁３３で連結されている点とが第１実施形態と相違している。
【００５８】
なお、本発明は、前述した実施形態に限定されるものではなく、適宜、変形、改良、等が可能である。
【符号の説明】
【００５９】
１、１Ｂ、１Ｃ  バッテリモジュール
２  セル積層体
２１  セル
２３  外部接続用端子
３、３Ｂ、３Ｃ  エンドプレート
３１  内壁
３２  外壁
３３  連結壁
３４  中空部
３５  中央エンドプレート部
３６Ｌ  左エンドプレート部
３６Ｒ  右エンドプレート部
３６ａ  中実部
３７  構造体固定部
３８、３８Ｂ  端子固定部
３９  端子固定部
３Ｂ  エンドプレート
３Ｃ  エンドプレート
４  サイドフレーム
４１  サイドフレーム本体
４２Ｆ  前回込部
４２Ｒ  後回込部
４３Ｆ  前固定部
４３Ｒ  後固定部
Ｂ  ボルト（締結部材）
【図１】
2019016503.tif 000003
【図２】
2019016503.tif 000004
【図３】
2019016503.tif 000005
【図４】
2019016503.tif 000006
【図５】
2019016503.tif 000007